(57)【要約】【課題】最初の写真プリントとは異なる色合いをもつ焼き増し写真プリントの処理を容易化する写真プリントシステムを提供する。【解決手段】色補正処理の処理パラメータをインデックスプリントに記録するための第１付加プリントデータと焼き増し時の色補正処理指示のための指示欄をインデックスプリントに記録するための第２付加プリントデータとを生成する付加情報生成部３２ｂと、撮影コマ画像を形成するプリントシートに第１付加プリントデータと第２付加プリントデータによるイメージを形成するプリントステーション１Ｂが備えられている。【選択図】  図５
2004233409.tif 000002
【特許請求の範囲】
【請求項１】
入力された撮影コマ画像に色補正処理を施すことによって得られた撮影コマ画像データに基づいてプリント部がその撮影コマ画像をプリントシートに再現した写真プリントを作製する写真プリントシステムにおいて、
前記色補正処理の処理パラメータを前記写真プリントに記録するための第１付加プリントデータと焼き増し時の色補正処理指示のための指示欄を前記写真プリントに記録するための第２付加プリントデータとを生成する付加情報生成部が備えられ、前記プリント部が前記プリントシートに前記撮影コマ画像とともに前記第１付加プリントデータと第２付加プリントデータによるイメージを形成することを特徴とする写真プリントシステム。
【請求項２】
前記写真プリントは前記プリントシートに複数の撮影コマ画像を形成しているインデックスプリントであり、前記第１付加プリントデータには前記インデックスプリントに含まれる全ての撮影コマ画像のための前記処理パラメータが含まれており、前記第２付加プリントデータには前記インデックスプリントに含まれる全ての撮影コマ画像のための前記指示欄が含まれていることを特徴とする請求項１に記載の写真プリントシステム。
【請求項３】
前記撮影コマ画像データと前記第２付加プリントデータは合成されて前記プリントシートの表面にプリントされ、前記第１付加プリントデータは前記プリントシートの裏面にプリントされることを特徴とする請求項１又は２に記載の写真プリントシステム。
【請求項４】
前記撮影コマ画像のソースデータを所定のデータ記憶メディアに格納するとともに、前記ソースデータを抽出するためのソースデータＩＤが前記第１付加プリントデータに組み込まれることを特徴とする請求項１〜３のいずれかに記載の写真プリントシステム。
【請求項５】
前記写真プリントに形成されたソースデータＩＤと処理パラメータのイメージ及び前記写真プリントに形成された指示欄に記録された色補正指示を読み取るリーダが備えられ、前記撮影コマ画像の焼き増し時には読み取られた処理パラメータと色補正指示に基づいて前記ソースデータを色補正して撮影コマ画像データを生成することを特徴とする請求項４に記載の写真プリントシステム。
【発明の詳細な説明】
【０００１】
【発明の属する技術分野】
本発明は、入力された撮影コマ画像に色補正処理を施すことによって得られた撮影コマ画像データに基づいてプリント部がその撮影コマ画像をプリントシートに再現した写真プリントを作製する写真プリントシステムに関する。
【０００２】
【従来の技術】
光学式カメラやデジタルカメラで撮影した撮影画像を印画紙などのプリントシート上に可視画像化した写真プリントを作製するＤＰ店では、同じ撮影コマ画像を再度焼き増しするといった業務は少なくない。ところが、ＤＰ店ではソースとなる撮影画像に対して何らかの色補正処理を施して写真プリントを作製するため、その色補正処理が異なると、写真プリントに形成される撮影コマ画像の色合いも異なってしまう。特に、最初のプリント時と焼き増しプリント時で色補正が異なり、最初の写真プリントと焼き増しした写真プリントの色合いがずれた場合顧客との間でトラブルが生じる恐れがある。
【０００３】
このような問題を解決するため、写真プリントにその撮影画像に対して施された色補正等の画像処理条件を例えばバーコードの形態で該当写真プリントの裏面に記録しておき、焼き増し注文時にその画像処理条件を読み取ってソースとなる撮影画像に同一の色補正を施すことで、最初の写真プリントと焼き増し写真プリントの色合いを同一にする写真プリントシステムが提案されており、その際、画像処理条件をフィルム１本分の撮影画像を一覧化しているインデックスプリントの裏面に記録しておき、このソースとなる写真フィルムとインデックスプリントを焼き増し注文時に持参してもらうようにすると、焼き増しすべき撮影画像を形成した個別の写真プリントを持参するよりはるかに好都合となる（例えば、特許文献１参照。）。
【０００４】
また、最初の写真プリントの作製に用いたソースデータを格納するとともに、そのソースデータの所在を示すコードや色補正パラメータの値を写真プリントの裏面に記録し、ソースとなる撮影画像を保持している写真フィルムや半導体記録メディアなしで、焼き増しプリントの注文に応じることができる写真プリントシステムも知られている（例えば、特許文献２参照。）。
【０００５】
【特許文献１】
特開２００１−２３５８０２号公報（段落番号００１４、００２７−００２９、第５図）
【０００６】
【特許文献２】
特開２０００−２１７００６号公報（段落番号００２４、００３０、第６図）
【０００７】
【発明が解決しようとする課題】
しかしながら、写真の画質に強い関心を持つ顧客の間では、焼き増し写真プリントに対して最初の写真プリントの色合いとは異なるより自分好みの色合いをもたせることを望む場合がある。つまり、最初の写真プリントを基準として自分好みの色合いを指示（赤みを弱くしたり、明度を下げたりする）して焼き増し注文を行うのである。このような顧客から要求される焼き増し注文は、上述した従来の写真プリントシステムでは、簡単に処理できなかった。
本発明の課題は、上記実状に鑑み、最初の写真プリントとは異なる色合いをもつ焼き増し写真プリントの処理を容易化する写真プリントシステムを提供することである。
【０００８】
【課題を解決するための手段】
上記課題を解決するため、入力された撮影コマ画像に色補正処理を施すことによって得られた撮影コマ画像データに基づいてプリント部がその撮影コマ画像をプリントシートに再現した写真プリントを作製する、本発明による写真プリントシステムでは、前記色補正処理の処理パラメータを前記写真プリントに記録するための第１付加プリントデータと焼き増し時の色補正処理指示のための指示欄を前記写真プリントに記録するための第２付加プリントデータとを生成する付加情報生成部が備えられ、前記プリント部が前記プリントシートに前記撮影コマ画像とともに前記第１付加プリントデータと第２付加プリントデータによるイメージを形成する。
【０００９】
上記構成によるプリント装置では、撮影コマ画像を写真プリントに再現する際にその撮影コマ画像に対して細越された色補正処理（各色濃度や全体明度の調整などを含む）の処理パラメータ及びこの写真プリントの焼き増し注文時に指示する色補正処理指示を記入する指示欄がその写真プリントに形成されているので、顧客は得られた仕上がり写真プリントに対するさらなる色補正指示をその写真プリントの指示欄に記入して焼き増しプリントを注文することができる。そのような焼き増しプリント注文を受け取ったＤＰショップ側では、焼き増しプリントのソースとなる撮影コマ画像に対して最初の写真プリントに形成されている処理パラメータを読み取ってこれに基づいて色補正処理を施すとともにさらに場合によっては色補正処理指示欄に記入されている色補正指示を読み取ってこの指示に基づく色補正処理を追加的に施して、焼き増しプリントを作製する。これにより、最初の写真プリントから顧客の希望する色合いを再現した焼き増しプリントの注文が簡単にかつ間違いなく可能となる。
【００１０】
写真プリントシステムがデジタル化されてきていることから、フィルム１本分（光学式カメラの場合）や半導体メモリ１枚分（デジタルカメラの場合）の縮小された撮影コマ画像（一般にサムネイル画像と呼ばれる）を１枚のプリントシートに形成しているインデックスプリントが作製され、焼き増し注文時に撮影コマ画像選択に便利に用いられている。このことから、そのようなインデックスプリントに処理パラメータや色補正処理指示欄を形成しておくことは、焼き増し注文処理の簡便性に関して大きな利点をもたらす。その際、前記第１付加プリントデータには前記インデックスプリントに含まれる全ての撮影コマ画像のための前記処理パラメータが含まれ、前記第２付加プリントデータには前記インデックスプリントに含まれる全ての撮影コマ画像のための指示欄が含まれることになる。
【００１１】
さらに、プリントシートの節約等を考慮するならば、前記撮影コマ画像データと前記第２付加プリントデータは合成されて前記プリントシートの表面にプリントされ、前記第１付加プリントデータは前記プリントシートの裏面にプリントされることが好適な実施形態として提案される。つまり、色補正処理指示欄は撮影コマ画像を見ながら記入されるのが好都合であるので、色補正処理指示欄と撮影コマ画像はプリントシートの同じ表面面に形成し、ＤＰショップ側で利用される最初のプリント時の色補正処理パラメータはプリントシートの裏面に形成する。インデックスプリントが対象となっている場合でも、裏面は全面的に利用できるので、全ての撮影コマ画像に施された色補正処理の処理パラメータを記録するスペースは十分に確保することができる。また、簡単に機械的に読みとれることを考慮するならば、処理パラメータの表記としてバーコードなどを利用することが好ましいし、顧客が直接記入する色補正処理指示欄としてマークシート方式の形態を利用することが好ましい。
【００１２】
いずれにしても、焼き増しプリント時には撮影コマ画像のソースが必要となる。注文者はその該当する撮影コマ画像を有する写真フィルムや半導体メモリを持参すればよいが、最近では、写真プリント作製時には撮影コマ画像のデジタルデータが作成されており（写真フィルムの場合はフィルムスキャナから取り込まれたデータである）、撮影コマ画像のソースデータとしてのデジタルデータをＣＤ−Ｒや大容量ハードディスクなどの記録メディアに格納するサービスが始まっていることを考慮するならば、前記撮影コマ画像のソースデータを所定のデータ記憶メディアに格納するとともに、前記ソースデータを抽出するためのソースデータＩＤが前記第１付加プリントデータに組み込まれるような構成を採用することはさらに焼き増しプリント注文の処理を簡単化するのに役立つ。特に、前記写真プリントに形成されたソースデータＩＤと処理パラメータのイメージ及び前記写真プリントに形成された指示欄に記録された色補正指示を読み取るリーダが備えられ、前記撮影コマ画像の焼き増し時には読み取られた処理パラメータと色補正指示に基づいて前記ソースデータを色補正して撮影コマ画像データを生成する構成を採用した写真プリントシステムでは、焼き増しプリント注文票としての写真プリント（好ましくはインデックスプリント）と記録メディアを顧客から受け取るだけで、自動的に、顧客の希望する色合いをもった焼き増しプリントを作製することが可能となる。
本発明によるその他の特徴及び利点は、以下図面を用いた実施形態の説明により明らかになるだろう。
【００１３】
【発明の実施の形態】
図１は本発明による写真プリントシステムの一例を示す外観図であり、この写真プリントシステムは、銀塩印画紙Ｐ（以下、印画紙Ｐと称する）に対して露光プリントや印字プリントを行うプリント部としてのプリントステーション１Ｂと、プリントソースとしての撮影コマ画像を格納している半導体メモリ（スマートメディアやＳＤカードなどがあるがここでは以後メモリカードと称することにする）Ｍａや写真フィルムＭｂなどの写真記録メディアＭから取り込んだ撮影コマ画像データやプリント注文データを処理してプリントステーション１Ｂで使用されるプリントデータの生成・転送などを行う操作ステーション１Ａとから構成されている。
【００１４】
この写真プリントシステムはデジタルミニラボとも称せられるものであり、図２からよく理解できるように、プリントステーション１Ｂは２つの印画紙マガジン１１に納めたロール状のプリントシートとしての印画紙Ｐを該ステーション１Ｂの内部に搬送してプリントサイズに切断すると共に、このように切断された印画紙Ｐに対し、バックプリンタ１３によって印画紙Ｐの裏面に後述する色補正処理に関する情報等を印字し、さらに撮影コマ画像をプリントエンジンとしての露光エンジン１２で露光を行い、この露光後の印画紙Ｐを複数の現像処理槽を有した現像処理部１４に送って現像する。乾燥の後に装置上部の横送りコンベアからソータ１５に送られた印画紙Ｐ、つまり写真プリントＰは、このソータ１５の複数のトレイ１５ａに対してオーダ単位で仕分けられた状態で集積される。なお、写真フィルムＭｂ１本分やメモリカードＭａ１枚分の縮小された撮影コマ画像、つまりサムネイル画像を１枚の印画紙Ｐに形成しているインデックスプリントＩＰも同様に作製される。
【００１５】
本発明による写真プリントシステムによって作製可能なインデックスプリントＩＰの一例が図３と図４に示されている。図３はインデックスプリントＩＰの表面を示し、図４はインデックスプリントＩＰの裏面を示している。図３に示すように、このインデックスプリントＩＰの表側にはサムネイル画像を一覧化して表示している撮影コマ画像表示エリア１００とサムネイル画像で表された各撮影コマ画像に対する焼き増し注文情報記入エリア２００（図３（ｂ）で拡大表示されている）が配置されている。撮影コマ画像表示エリア１００にはコマ番号とそのサムネイル画像が順序よく形成されており、注文情報記入エリア２００にはコマ番号に加え、焼き増し枚数を記入する欄２０１や色補正指示や明度指示を記入する補正指示欄２０２が形成されている。焼き増しプリントの注文を行う際、焼き増し枚数記入欄２０１に焼き増し枚数を記入するとともに、撮影コマ画像表示エリア１００に表示されている撮影画像に対して異なる色合いを希望する場合には、例えば赤みを多くしたい場合は「赤の＋」にチェックを入れたり、赤みを少なくしたい場合は「赤の−」にチェックを入れたり、さらに全体を明るくしたい場合は「明度の＋」にチェックを入れることになる。注文情報記入エリア２００における顧客からＤＰショップへの指示欄の形態は、機械的な読み取りを考慮する場合には、マークシート方式を採用するとよい。また、撮影コマ画像表示エリア１００と注文情報記入エリア２００を組み合わせて各コマ番号のサムネイル画像の周辺にそのコマ番号に対する焼き増し枚数記入欄２０１や補正指示欄２０２を配置してもよい。補正指示の段階をさらに多くしたい場合は「赤の−−」や「赤の＋＋」といった欄を追加配置すればよい。
【００１６】
図４に示すように、このインデックスプリントＩＰの裏側には各撮影コマ画像に対して施された色補正処理の処理パラメータを表示するプリント処理情報表示エリア３００が形成されている。この実施の形態では、各撮影コマ画像の色補正処理パラメータはバーコード化され、バックプリンタ１３によって印字される。また、このインデックスプリントのソースデータが所定のデータ記憶メディア（大容量ハードディスクやＤＶＤ、あるいは画像格納サーバなど）に格納される場合は、そのソースデータを抽出するために必要なアドレスとしてのソースデータＩＤもこの処理パラメータといっしょにプリント処理情報表示エリア３００に記録される。
【００１７】
プリントステーション１Ｂには、操作ステーション１Ａから送られてくるプリントデータに基づいて印画紙Ｐにイメージを形成するためにバックプリンタ１３と露光エンジン１２が備えられている。バックプリンタ１３はドットインパクトプリンタといった耐化学薬品性に優れたインクを用いたものである。露光エンジン１２はプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。又、前記現像処理部１４は露光後の印画紙Ｐを複数の現像処理槽に対して連続的に送るよう多数の圧着ローラ（図示せず）を有した搬送系を備えている。
【００１８】
前記操作ステーション１Ａは、デスク状コンソールの上部位置には、写真フィルムＭｂから撮影画像データを取得するフィルムスキャナ２と、各種情報を表示するモニタ４が配置され、操作テーブル上にはこの写真プリントシステムに対する各種設定や調整を行う際に用いるキーボード１６やマウス１７などが配置されている。この操作テーブルの周辺にはプリントステーション１Ｂに対する各種設定や調整などを行うコントローラ３として機能する汎用コンピュータ（以後単にパソコンと称する）が備えられ、このコントローラ３にはデジタルカメラに装着されるメモリカードＭａとして用いられているスマートメディアやコンパクトフラッシュや大容量ハードディスクなどから、場合によっては画像格納サーバから撮影コマ画像データを取得するメディアリーダ１８が接続されている。さらに、焼き増し注文シートとして利用されるインデックスプリントＩＰから色補正パラメータや焼き増し枚数や色補正指示などの情報を光学的に読み取る光学リーダ１９もこのコントローラ３に接続されている。
【００１９】
フィルムスキャナ２は、図２に模式的に示されているように、フィルム搬送ラインの上方に位置する光源２０と、フィルム搬送ラインの下側でこれに対して直交する方向に延びたスリット２１の下方に位置する光学レンズ２２と、この光学レンズ２２によって結像された写真フィルムの透過光を光電変換するＣＣＤ型のセンサユニット２３とを備えている。センサユニット２３はパソコンに装着された画像入力ボードと接続されており、センサユニット２３によって変換されたデジタル画像データは画像入力ボードを介してコントローラ３のメモリ３０に送り込まれる。
【００２０】
光学リーダ１９は基本的には反射式の光学スキャナであるが、図３と図４で示したインデックスプリントＩＰから色補正パラメータや焼き増し枚数や色補正指示などの情報を読み込む場合には、インデックスプリントＩＰの両面側から読み取り可能な構成にするか、インデックスプリントＩＰを表面と裏面を順番に読み取るような構成にする必要がある。
【００２１】
この写真プリントシステムのコントローラ３は実質的にはパソコンであり、ＣＰＵを中核部材として、写真プリントシステムの種々の動作を行うための機能部をハードウエア又はソフトウエアあるいはその両方で構築しているが、図５に示されているように、本発明に特に関係する機能部としては、スキャナ２やメディアリーダ１８によって読み取られた撮影コマ画像を取り込んで次の処理のために必要な前処理を行うデータ前処理部３１と、データ前処理部３１からメモリ３０に転送された撮影コマ画像データに対する処理コマンドをキーボード１６やマウス１７などの入力操作デバイスからの操作信号や前述した光学リーダ１９によって読み込まれたデータから処理コマンドを生成する処理コマンド生成部３３、全体的なプリント管理を行うプリント管理部３２と、色補正等のプレジャッジ作業時にプリントソース画像や予想仕上がりプリント画像としてのシミュレート画像などをモニタ４に表示させるためのビデオ信号を生成するビデオ制御部３４と、画像処理が完了した処理済み撮影画像データに基づいてプリントステーション１Ｂの露光エンジン１２のための露光プリントデータやプリント管理部３２からの指示に基づいてバックプリンタ１３のためのバックプリントデータを生成するプリントデータ生成部３５と、顧客の要望に応じてソースデータとしての撮影コマ画像データなどをＣＤ−ＲやＤＶＤ−Ｒやハードディスクなどのデータ記憶メディアに書き込むための形式にフォーマットするフォーマッタ部３６などが挙げられる。
【００２２】
データ前処理部３１は、取り込んだ撮影コマ画像データにサムネイル画像データが含まれている場合はモニタ４での一覧表示やインデックスプリントＩＰの作製などの目的で使用するため撮影コマ画像の本データとは別にメモリ３０に送り込むが、もしサムネイル画像データが含まれていない場合は本データから縮小画像を作り出してサムネイル画像データとしてメモリ３０に送り込む。
【００２３】
プリント管理部３２は、メモリ３０に展開された撮影コマ画像データに対して、キーボード１６やマウス１７などの入力操作デバイスからの操作信号や前述した光学リーダ１９によって読み込まれたデータから処理コマンド生成部３３によって生成された処理コマンドに基づいて色補正などを施す画像処理部３２ａと、この画像処理部３２ａによって適用された画像処理のパラメータ（特に色補正に関する処理パラメータ）やフォーマッタ部３６によって行われたソースデータのフォーマット情報やデータ格納アドレス、さらにはインデックスプリントＩＰの注文情報記入エリア２００やプリント処理情報表示エリア３００に形成する各種情報に関するデータを生成する付加情報生成部３２ｂを含んでいる。
【００２４】
図５から理解できるように、付加情報生成部３２ｂは、写真プリントＰやインデックスプリントＩＰにおける撮影コマ画像の再現のために撮影コマ画像データに対して画像処理部３２ａを通じて施した画像処理パラメータ（特に色補正に関する処理パラメータ）をコマ番号と対応付けた形でバーコード化して第１付加プリントデータとしてプリントデータ生成部３５に渡す。次いで、プリントデータ生成部３５が受け取った第１付加プリントデータをバックプリントデータに変換してバックプリンタ１３に送ることで、図４に示したようなバーコードが印画紙Ｐの裏面に形成される。
【００２５】
また、付加情報生成部３２ｂは、インデックスプリント作製時には図３に示したようなインデックスプリントＩＰの注文情報記入エリア２００に形成される焼き増し枚数記入欄２０１や補正指示欄２０２のためのイメージデータも所定のメモリから取り出して第２付加プリントデータとしてメモリ３０に送り込み、そこで展開されているインデックス用のサムネイル画像データと合成され、インデックス画像データとしてプリントデータ生成部３５に送られ、露光プリントデータに変換されることで、露光エンジン１２を通じて図３に示すような画像を印画紙Ｐの表面に形成する。
【００２６】
本発明による写真プリントシステムにおける典型的な写真プリントの手順を以下に説明する。
〔ステップ１：最初のプリント〕
顧客が被写体を撮影して得られた撮影コマ画像を印画紙Ｐに再現するために最初にＤＰショップにプリント依頼した際は、従来から行われているように、スキャナ２やメディアリーダ１８を通じて取り込まれた撮影コマ画像データはプレジャッジ工程と呼ばれている工程を通じて色補正処理などを施された後撮影コマ画像単位で１枚の写真プリントＰが作製されるとともに、その表面に複数の撮影コマ画像と焼き増し注文時に利用される焼き増し枚数記入欄２０１と補正指示欄２０２がそしてその裏面に各撮影コマ画像に施された色補正等の処理パラメータを形成したインデックスプリントＩＰが作製され、顧客に渡される。ここで重要なことは、写真プリントＰ及びインデックスプリントＩＰに再現されている撮影コマ画像はこのステップで色補正処理されたものであり、実質的に同等な色合いを有していることである。
【００２７】
〔ステップ２：焼き増し注文の作成〕
顧客は、インデックスプリントＩＰに一覧表示された撮影コマ画像を見ながら、焼き増しすべきコマを決定し、その焼き増し枚数を対応する焼き増し枚数記入欄２０１に、そして色合いの補正を希望する場合その補正指示を補正指示欄２０２に書き込む。その後、この焼き増し注文シートとしてのインデックスプリントＩＰをＤＰショップに渡す。その際、ソースデータが手元にある場合はソースデータ（撮影コマ画像を記録しているネガフィルムやメモリーカード、あるいはＣＤ−ＲやＤＶＤ）も提出するが、ソースデータがＤＰショップ側に預けられている場合はインデックスプリントＩＰだけでよい。
【００２８】
〔ステップ３：焼き増しプリント〕
顧客から提出された焼き増し注文シートとしてのインデックスプリントＩＰを光学リーダ１９にかけて、焼き増しプリントすべき撮影コマ画像のコマ番号と焼き増し枚数、焼き増し対象となっている撮影コマ画像に対して指示された色補正情報、最初のプリント時に適用された色補正に関する処理パラメータなどを取り込む。ソースデータを格納しているメディア等が持参されている場合はそのメディアから撮影コマ画像データを取り込み、ソースデータがＤＰショップの大容量ハードディスクや画像格納サーバに格納されている場合はそこから取り込む。焼き増し対象となっている撮影コマ画像データに対して前記処理パラメータに基づいた色補正処理を施した後、顧客指示による色補正を施し、焼き増しプリントとしての写真プリントＰを作製する。
【００２９】
図６には、焼き増し注文シートとして利用されるインデックスプリントＩＰの別な形態が示されている。この形態では、撮影コマ画像の周辺にこの撮影コマ画像を基準として各種色補正を行った際に得られる補正画像が形成されている。つまり、補正指示欄２０２で指示される、赤みを加える（赤＋）補正、赤みを減じる（赤−）補正、明るさの低下（明度−）などの補正指示の結果得られる画像がサンプル的に示されているので、より正確な補正指示が可能となる。このようなインデックスプリントＩＰは本格プリントのための予備プリントとして利用することで、顧客が希望する撮影コマ画像だけを顧客が希望する色合いで写真プリントすることができる。これは、一度に大量の撮影コマ画像を作ることになりがちなデジタルカメラからの写真プリントに特に有効であり、これにより大量撮影した後気に入った撮影画像だけを希望の色合いで写真プリント化することが簡単にしかも大きなコストを伴わずに実現することになる。
【００３０】
上述した実施の形態では、処理パラメータや補正指示欄はインデックスプリントＩＰに形成されていたが、本発明の範囲内で、撮影コマ画像単位で１枚ずつ作製される写真プリントＰに焼き増しプリント注文時に役立つ上述した情報を形成することも可能である。
【図面の簡単な説明】
【図１】本発明による写真プリントシステムを示す外観図
【図２】図１による写真プリントシステムのブロック図
【図３】本発明による写真プリントシステムによって出力されたインデックスプリントの表面側を示す説明図
【図４】本発明による写真プリントシステムによって出力されたインデックスプリントの裏面側を示す説明図
【図５】図１による写真プリントシステムのコントローラに構築される本発明に関係する機能を表したブロック図
【図６】本発明による写真プリントシステムによって出力されたインデックスプリントの別形態を示す説明図
【符号の説明】
１Ｂプリントステーション（プリント部）
３  コントローラ
４  モニタ
１８  メディアリーダ
１９  光学リーダ
３１  データ前処理部
３２  プリント管理部
３２ａ画像処理部
３２ｂ付加情報生成部
３３  処理コマンド生成部
３４  ビデオ制御部
３５  プリントデータ生成部
３６  フォーマッタ部
ＩＰ  インデックスプリント
２００  注文情報記入エリア
２０１  焼き増し枚数記入欄
２０２  補正指示欄
３００  プリント処理情報表示エリア
【図１】
2004233409.tif 000003
【図２】
2004233409.tif 000004
【図３】
2004233409.tif 000005
【図４】
2004233409.tif 000006
【図５】
2004233409.tif 000007
【図６】
2004233409.tif 000008